(57)【要約】【課題】複数画面を一の画面に表示するマルチ画面表示機能を有する表示装置において、通常画面からマルチ画面に切り替えるに際して視聴者であるユーザの視聴状態を考慮して、切替を行い、使い勝手を向上する。【解決手段】主画面を含む複数画面を表示画面に同時に表示可能な表示装置において、視聴者の顔の表示画面に対する位置を検出する顔位置検出手段と、表示画面上で、検出した顔の位置に対応づけた位置に主画面を表示する画面表示制御手段と、を備える。【選択図】図４
2012253440.tif 000002
【特許請求の範囲】
【請求項１】
主画面を含む複数画面を表示画面に同時に表示可能な表示装置において、
視聴者の顔の前記表示画面に対する位置を検出する顔位置検出手段と、
前記表示画面上で、前記検出した顔の位置に対応づけた位置に前記主画面を表示する画面表示制御手段と、
を備えた表示装置。
【請求項２】
前記画面表示制御手段は、前記主画面を前記検出した顔の正面に配置して表示する、
請求項１記載の表示装置。
【請求項３】
前記画面表示制御手段は、前記主画面以外の副画面を前記主画面の表示位置を基準として配置する、
請求項１又は請求項２記載の表示装置。
【請求項４】
複数の視聴者を検出した場合に、前記複数の視聴者のうち、操作者以外の視聴者の視聴に影響を低減して、多画面表示に移行する、
請求項１乃至請求項３のいずれかに記載の表示装置。
【請求項５】
前記表示装置をリモート制御するリモートコントローラを備え、
前記リモートコントローラの制御信号の送信位置に基づいて、前記操作者を特定する、
請求項４記載の表示装置。
【請求項６】
主画面を含む複数画面を表示画面に同時に表示可能な表示装置で実行される表示制御方法において、
視聴者の顔の前記表示画面に対する位置を検出する顔位置検出過程と、
前記主画面を前記検出した顔の位置に対応づけて表示する画面表示制御過程と、
を備えた表示制御方法。
【発明の詳細な説明】
【技術分野】
【０００１】
本発明の実施形態は、表示装置及び表示制御方法に関する。
【背景技術】
【０００２】
従来、複数画面を一の画面に表示するマルチ画面表示機能を有する表示装置が知られている（例えば、特許文献１参照）。
【先行技術文献】
【特許文献】
【０００３】
【特許文献１】特開２００８−３４９７７号公報
【発明の概要】
【発明が解決しようとする課題】
【０００４】
しかしながら、このようなマルチ画面表示機能を有する表示装置において、通常画面からマルチ画面に切り替えるに際しては、マルチ画面の表示態様は予め定められており、ユーザの視聴位置を考慮して各画面の表示位置を設定するものではなかった。
【０００５】
本発明は、上記に鑑みてなされたものであって、マルチ画面表示機能を有する表示装置において、通常画面からマルチ画面に切り替えたり、マルチ画面の表示状態において主として視聴している画面の操作を行うに際して視聴者であるユーザの視聴位置を考慮して、表示態様を制御し、使い勝手の良い表示装置及び表示制御方法を提供することにある。
【課題を解決するための手段】
【０００６】
実施形態の表示装置は、主画面を含む複数画面を表示画面に同時に表示可能な表示装置である。
この表示装置において、顔位置検出手段は、表示画面に対する視聴者の顔の位置を検出する。
画面表示制御手段は、表示画面上で、検出した顔の位置に対応づけた位置に主画面を表示する。
【図面の簡単な説明】
【０００７】
【図１】図１は、第１実施形態の表示装置の概要構成斜視図である。
【図２】図２は、表示装置の概要構成ブロック図である。
【図３】図３は、第１実施形態の処理フローチャートである。
【図４】図４は、視聴者の顔の位置と表示画面との位置関係と多画面（８画面）表示時の画面レイアウトとの関係の説明図である。
【図５】図５は、視聴者の顔の位置と表示画面との位置関係と多画面（２画面）表示時の画面レイアウトとの関係の説明図である。
【図６】図６は、視聴者の顔の位置と表示画面との位置関係と多画面（２画面のピクチャーインピクチャー）表示時の画面レイアウトとの関係の説明図である。
【図７】図７は、第２実施形態の表示装置の概要構成斜視図である。
【図８】図８は、第２実施形態の処理フローチャートである。
【図９】図９は、視聴者であるユーザＵ１、Ｕ２の顔の位置と表示画面との位置関係と多画面（２画面）表示時の画面レイアウトとの関係の説明図である。
【発明を実施するための形態】
【０００８】
次に実施形態について図面を参照して詳細に説明する。
［１］第１実施形態
図１は、第１実施形態の表示装置の概要構成斜視図である。
以下の説明においては、表示装置としてディジタルテレビジョンを例として説明する。
ディジタルテレビジョン１０は、装置本体１１と、装置本体１１をユーザＵが離れた位置から制御するためのリモートコントローラ１１Ｒと、装置本体１１の上部に設けられたカメラユニット部１２と、を備えている。
【０００９】
図２は、ディジタルテレビジョンの概要構成ブロック図である。
ディジタルテレビジョン１０は、図２に示すように、入力側に放送波受信用のアンテナ２１が接続され、また、ディジタルテレビジョン１１は、外部の表示装置や音声出力装置に直接、ユーザＵは、ディジタルテレビジョン１１に設けられた操作部３５を介して本装置の操作を行える他、赤外線通信による上述したリモートコントローラ１１Ｒを介した操作が可能である。
カメラユニット部１２は、ＣＣＤカメラあるいはＣＭＯＳカメラ等のディジタルカメラとして構成されて装置本体１１の上部中央に設けられており、ユーザＵの画像、特に、ユーザＵの顔の位置を特定するための画像を撮像する。
【００１０】
ディジタルテレビジョン１１は、受信したディジタルテレビジョン放送信号をデコードすることにより放送番組を表示し、ユーザは受信した放送番組を視聴できるようになっている。また、外部の表示装置や音声出力装置を利用して放送番組を視聴できるようにもなっており、受信した放送番組を記録することも可能である。
【００１１】
なお、図２に示すディジタルテレビジョン１１は、放送波受信用に複数のチューナ等の受信回路を備える構成としてもよい。
地上波放送受信用のアンテナ２１で受信した地上ディジタルテレビジョン放送信号は、入力端子２２を介して地上ディジタル放送用のチューナ２３に供給される。
【００１２】
チューナ２３は、処理部２５からの制御信号により所望のチャネルの放送信号を選局し、この選局された放送信号を復調器２４ａに出力する。
復調器２４ａは、処理部２５からの制御信号により、チューナ２３で選局された放送信号を復調し、所望の番組を含んだトランスポートストリームを得て、復号器２４ｂに出力する。
【００１３】
復号器２４ｂは、処理部２５からの制御信号によりトランスポートストリーム（ＴＳ）多重化された信号のＴＳ復号処理を行い、所望の番組のディジタルの映像信号及び音声信号をデパケットすることにより得たＰＥＳ（Packetized  Elementary  Stream）を信号処理部２６内のＳＴＤバッファへ出力する。また、復号器２４ｂは、ディジタル放送により送られているセクション情報を信号処理部２６内のセクション部２６ｂへ出力する。
ここで、信号処理部２６は、デコーダ２６ａとセクション部２６ｂとを備え、入力された信号の処理を行う。
【００１４】
デコーダ２６ａは、テレビ視聴時には、復号器２４ｂから供給されたディジタルの映像信号及び音声信号に対して、選択的に所定のディジタル信号処理を施し、グラフィック処理部２７及び音声処理部２８に出力する。一方、番組録画時には、復号器２４ｂから供給されたディジタルの映像信号及び音声信号に対して、選択的に所定のディジタル信号処理を施した信号を、処理部２５を介して記録装置（例えば、ＨＤＤ）４１に記録する。
【００１５】
また、デコーダ２６ａは、録画番組再生時には、処理部２５を介して記録装置（例えば、ＨＤＤ）４１から読み出された録画番組のデータに、所定のディジタル信号処理を施し、グラフィック処理部２７及び音声処理部２８に出力している。
【００１６】
さらに、デコーダ２６ａは、ＰＣ等の外部機器の表示画面表示時には、処理部２５を介して外部機器から受信したデータに、所定のディジタル信号処理を施し、グラフィック処理部２７及び音声処理部２８に出力している。
【００１７】
処理部２５には、信号処理部２６から、番組を取得するための各種データ（Ｂ−ＣＡＳデスクランブル用の鍵情報等）や電子番組ガイド（ＥＰＧ）情報、番組属性情報（番組ジャンル等）、字幕情報等（サービス情報、ＳＩやＰＳＩ）が入力されている。処理部２５は、これら入力された情報からＥＰＧ、字幕を表示するため画像生成処理を行い、この生成した画像情報をグラフィック処理部２７へ出力する。
【００１８】
また、この処理部２５は、番組録画及び番組予約録画を制御する機能を有する。番組予約受付時には、表示装置３１の表示画面上に電子番組ガイド（ＥＰＧ）情報を表示し、操作部３５またはリモートコントローラ１１Ｒを介したユーザ入力により予約内容を所定の記憶手段に設定する。そして、設定された時刻に予約番組を録画するようチューナ２３、復調器２４ａ、復号器２４ｂ及び信号処理部２６を制御する。
【００１９】
セクション部２６ｂは、復号器２４ｂから入力されたセクション情報の中から、番組を取得するための各種データや電子番組ガイド（ＥＰＧ）情報、番組属性情報（番組ジャンル等）、字幕情報等（サービス情報、ＳＩやＰＳＩ）を処理部２５へ出力する。
【００２０】
グラフィック処理部２７は、信号処理部２６内のデコーダ２６ａから供給されるディジタルの映像信号と、ＯＳＤ（On  Screen  Display）信号生成部２９で生成されるＯＳＤ信号と、データ放送による画像データと、処理部２５により生成されたＥＰＧ，字幕信号とを合成して映像処理部３０へ出力する機能を有する。また、字幕放送による字幕を表示するとき、グラフィック処理部２７は、処理部２５からの制御による字幕情報に基づき、映像信号上に字幕情報を重畳する処理を行う。
【００２１】
グラフィック処理部２７から出力されたディジタルの映像信号は、映像処理部３０に供給される。この映像処理部３０は、入力されたディジタルの映像信号を、液晶ディスプレイ等で構成される表示装置３１で表示可能なアナログ映像信号に変換した後、表示装置３１に出力して、表示装置３１の表示画面上に映像表示させる。また、出力端子３２を介して外部の表示装置（図示せず）に、当該外部の表示装置で表示可能なフォーマットの映像信号を出力して映像表示させることもできる。
【００２２】
また、音声処理部２８は、入力されたディジタルの音声信号を、音声出力装置３３で再生可能なアナログ音声信号に変換した後、音声出力装置３３に出力して音声を再生させる。また、出力端子３４を介して外部の音声出力装置（図示せず）に、当該外部の音声出力装置で再生可能なフォーマットの音声信号を出力して音声再生させることもできる。
【００２３】
ここで、このディジタルテレビジョン１１は、各種の受信動作を含むその全ての動作を処理部２５によって制御されている。この処理部２５のコントローラ２５ｄは、マイクロプロセッサとして構成されており、操作部３５からの操作情報を受け、または、リモートコントローラ１１Ｒから送出された操作情報を受光部３６を介して受信し、その操作内容（例えば、楽曲情報問い合わせ操作、チャネル切換操作等）が反映されるように各部をそれぞれ制御している。
【００２４】
この場合において、コントローラ２５ｄは、制御プログラムを格納したＲＯＭ（Read  Only  Memory）２５ａと、作業エリアを提供するＲＡＭ（Random  Access  Memory）２５ｂと、各種の設定情報、制御情報及び番組情報等が更新可能かつ不揮発的に格納されるフラッシュメモリ等の不揮発性メモリ２５ｃとを利用している。
【００２５】
また、処理部２５は、Ｗｉ−Ｆｉ通信Ｉ／Ｆ３７を介して無線ＬＡＮ通信ユニット３８に接続されている。これにより、処理部２５は、無線ＬＡＮ通信ユニット３８に、無線通信回線を介して接続された無線ＬＡＮ対応の機器と、Ｗｉ−Ｆｉ通信Ｉ／Ｆ３７を介して通信を行うことができる。
【００２６】
また、処理部２５は、ＬＡＮ  Ｉ／Ｆ３９を介して有線ＬＡＮ端子４０に接続されている。これにより、処理部２５は、有線ＬＡＮ端子４０とEthernet（登録商標）規格の有線ネットワークで接続された各種機器と、ＬＡＮ  Ｉ／Ｆ３９を介して情報伝送することができる。
また、メモリカードリーダ／ライタ（Ｒ／Ｗ）４２は、ＩＣメモリカードＭＣからの各種データの読み込み及びＩＣメモリカードＭＣへの各種データの書き込みを行う。
【００２７】
次に第１実施形態の動作について説明する。
図３は、第１実施形態の処理フローチャートである。
まず、コントローラ２５ｄは、リモートコントローラ１１Ｒにより、表示装置３１の表示を主画面を含む多画面表示に切り替える操作、あるいは、多画面表示中に主画面のチャンネルを切り替える操作がなされたか否かを判別する（ステップＳ１１）。
ここで、主画面とは、表示装置３１の表示を多画面表示に切り替える場合には、切替前に表示されていた画面であり、チャンネル切替操作の場合には、チャンネル切替対象の表示画面である。なお、チャンネル操作に限らず、操作の対象となる表示画面を主画面として取り扱うように構成することも可能である。例えば、音量調整の対象となる表示画面、サラウンドなどの音声設定の対象となる表示画面、字幕表示設定の対象となる表示画面、言語切替設定の対象となる表示画面、色合いなどの表示設定の対象となる表示画面等の各種設定対象の表示画面が主画面として設定が可能である。
ステップＳ１１の判別において、リモートコントローラ１１Ｒにより、表示装置３１の表示を多画面表示に切り替える操作及び多画面表示中に主画面のチャンネルを切り替える操作のいずれもなされなかった場合には（ステップＳ１１；Ｎｏ）、処理を終了する。
【００２８】
ステップＳ１１の判別において、リモートコントローラ１１Ｒにより、表示装置３１の表示を多画面表示に切り替える操作、あるいは、多画面表示中に主画面のチャンネルを切り替える操作がなされた場合には（ステップＳ１１；Ｙｅｓ）、コントローラ２５ｄは、カメラユニット部１２を制御して視聴者であるユーザＵを撮像させる。
これにより、カメラユニット部１２は、視聴者であるユーザを検出するために撮像を行い、コントローラ２５ｄは、カメラユニット部１２の撮像結果に基づいて、ユーザの顔の位置が表示装置３１の表示画面に対し、どのような位置にあるかを検出する（ステップＳ１２）。
そして、コントローラ２５ｄは、ユーザの顔の位置が表示装置３１の表示画面に対し、どのような位置にあるかに基づいて、画面レイアウトを決定し（ステップＳ１３）、画面切替表示を行う（ステップＳ１４）。
【００２９】
［１．１］８画面表示の場合
図４は、視聴者の顔の位置と表示画面との位置関係と多画面（８画面）表示時の画面レイアウトとの関係の説明図である。
図４においては、通常表示（１画面表示）から多画面表示に切り替えた場合の多画面表示時のレイアウトについて説明している。
図４（ａ）に示すように、コントローラ２５ｄは、カメラユニット部１２により撮像した画面に基づいて、ユーザＵの顔の位置Ｐが表示装置３１の表示画面３１Ｄに対してどのような位置にあるのかを判別する。すなわち、ユーザＵの顔の位置Ｐが表示装置３１の表示画面３１Ｄに対して、左上、右上、左下あるいは右下のいずれにあるかを判別する。
【００３０】
そして、ユーザＵの顔の位置Ｐが表示装置３１の表示画面３１Ｄに対して、左上にあると判別した場合には、図４（ｂ）に示すように、主画面Ｍを表示装置３１の表示画面３１Ｄに対して、左上にレイアウトし、７つの副画面ＳＤ１〜ＳＤ７を表示装置３１の表示画面３１Ｄの下端部及び右端部に配置する。なお、７つの副画面ＳＤ１〜ＳＤ７の配置については、一例であり、任意の配置とすることが可能である（以下、同様）。
また、ユーザＵの顔の位置Ｐが表示装置３１の表示画面３１Ｄに対して、右上にあると判別した場合には、図４（ｃ）に示すように、主画面Ｍを表示装置３１の表示画面３１Ｄに対して、右上にレイアウトし、７つの副画面Ｓ１Ｄ〜ＳＤ７を表示装置３１の表示画面３１Ｄの下端部及び左端部に配置する。
【００３１】
また、ユーザＵの顔の位置Ｐが表示装置３１の表示画面３１Ｄに対して、左下にあると判別した場合には、図４（ｄ）に示すように、主画面Ｍを表示装置３１の表示画面３１Ｄに対して、左下にレイアウトし、７つの副画面ＳＤ１〜ＳＤ７を表示装置３１の表示画面３１Ｄの上端部及び右端部に配置する。
また、ユーザＵの顔の位置Ｐが表示装置３１の表示画面３１Ｄに対して、右下にあると判別した場合には、図４（ｅ）に示すように、主画面Ｍを表示装置３１の表示画面３１Ｄに対して、右下にレイアウトし、７つの副画面Ｓ１Ｄ〜ＳＤ７を表示装置３１の表示画面３１Ｄの上端部及び左端部に配置する。
このように８画面表示を行う場合でも、視聴者であるユーザＵの顔の正面に主画面Ｍを配置するので、視聴が無理なく行える。
【００３２】
［１．２］２画面表示の場合
図５は、視聴者の顔の位置と表示画面との位置関係と多画面（２画面）表示時の画面レイアウトとの関係の説明図である。なお、図５中、黒く塗りつぶされた領域ｘは、字幕などを表示する領域としても用いられる。
図５においても、通常表示（１画面表示）から多画面表示に切り替えた場合の多画面表示時のレイアウトについて説明している。
図５（ａ）に示すように、コントローラ２５ｄは、カメラユニット部１２により撮像した画面に基づいて、ユーザＵの顔の位置Ｐが表示装置３１の表示画面３１Ｄに対してどのような位置にあるのかを判別する。すなわち、ユーザＵの顔の位置Ｐが表示装置３１の表示画面３１Ｄに対して、左上、右上、左側（左中央）、右側（右中央）、左下あるいは右下のいずれにあるかを判別する。
【００３３】
そして、ユーザＵの顔の位置Ｐが表示装置３１の表示画面３１Ｄに対して、左上にあると判別した場合には、通常表示の場合と画面アスペクト比はほぼあるいは全く同一のまま、図５（ｂ）に示すように、主画面Ｍを表示装置３１の表示画面３１Ｄに対して、左上にレイアウトし、副画面ＳＤを表示装置３１の表示画面３１Ｄの右上に配置する。
また、ユーザＵの顔の位置Ｐが表示装置３１の表示画面３１Ｄに対して、右上にあると判別した場合には、通常表示の場合と画面アスペクト比はほぼあるいは全く同一のまま、図５（ｃ）に示すように、主画面Ｍを表示装置３１の表示画面３１Ｄに対して、右上にレイアウトし、副画面ＳＤを表示装置３１の表示画面３１Ｄの左上に配置する。
【００３４】
また、ユーザＵの顔の位置Ｐが表示装置３１の表示画面３１Ｄに対して、左（左中央）にあると判別した場合には、通常表示の場合と画面アスペクト比はほぼあるいは全く同一のまま、図５（ｄ）に示すように、主画面Ｍを表示装置３１の表示画面３１Ｄに対して、左側（左中央）にレイアウトし、副画面ＳＤを表示装置３１の表示画面３１Ｄの右側（右中央）に配置する。
また、ユーザＵの顔の位置Ｐが表示装置３１の表示画面３１Ｄに対して、右側（右中央）にあると判別した場合には、通常表示の場合と画面アスペクト比はほぼあるいは全く同一のまま、図５（ｅ）に示すように、主画面Ｍを表示装置３１の表示画面３１Ｄに対して、右側（右中央）にレイアウトし、副画面ＳＤを表示装置３１の表示画面３１Ｄの左側（左中央）に配置する。
さらに、ユーザＵの顔の位置Ｐが表示装置３１の表示画面３１Ｄに対して、左下にあると判別した場合には、通常表示の場合と画面アスペクト比はほぼあるいは全く同一のまま、図５（ｆ）に示すように、主画面Ｍを表示装置３１の表示画面３１Ｄに対して、左下にレイアウトし、副画面ＳＤを表示装置３１の表示画面３１Ｄの右下に配置する。
また、ユーザＵの顔の位置Ｐが表示装置３１の表示画面３１Ｄに対して、右下にあると判別した場合には、通常表示の場合と画面アスペクト比はほぼあるいは全く同一のまま、図５（ｇ）に示すように、主画面Ｍを表示装置３１の表示画面３１Ｄに対して、右下にレイアウトし、副画面ＳＤを表示装置３１の表示画面３１Ｄの左下に配置する。
【００３５】
［１．３］２画面表示（ピクチャーインピクチャー表示）の場合
図６は、視聴者の顔の位置と表示画面との位置関係と多画面（２画面のピクチャーインピクチャー）表示時の画面レイアウトとの関係の説明図である。
図６においても、通常表示（１画面表示）から多画面表示に切り替えた場合の多画面表示時のレイアウトについて説明している。
図６（ａ）に示すように、コントローラ２５ｄは、カメラユニット部１２により撮像した画面に基づいて、ユーザＵの顔の位置Ｐが表示装置３１の表示画面３１Ｄに対してどのような位置にあるのかを判別する。すなわち、ユーザＵの顔の位置Ｐが表示装置３１の表示画面３１Ｄに対して、左側あるいは右側のいずれにあるかを判別する。
そして、ユーザＵの顔の位置Ｐが表示装置３１の表示画面３１Ｄに対して、左側にあると判別した場合には、主画面Ｍは、通常表示の場合と全く同一のまま、図６（ｂ）に示すように、主画面Ｍ内であって、表示装置３１の表示画面３１Ｄに対して、右下に副画面ＳＤを配置する。
【００３６】
また、ユーザＵの顔の位置Ｐが表示装置３１の表示画面３１Ｄに対して、右側にあると判別した場合には、主画面Ｍは、通常表示の場合と全く同一のまま、図６（ｃ）に示すように、主画面Ｍ内であって、表示装置３１の表示画面３１Ｄに対して、左下に副画面ＳＤを配置する。
なお、以上の説明においては、副画面ＳＤは、右下あるいは左下に配置したが、右上あるいは左上に配置することも可能である。
［１．４］第１実施形態の効果
以上の説明のように、本第１実施形態によれば、視聴中の主画面の見やすさを確保しつつ、多画面表示に移行することができ、使い勝手が向上する。
【００３７】
［２］第２実施形態
以上の第１実施形態は、視聴者であるユーザが一人の場合について説明したが、本第２実施形態は、視聴者であるユーザが二人であって、それぞれの主画面が異なる場合の実施形態である。
図７は、第２実施形態の表示装置の概要構成斜視図である。図７において、図１と同様の部分には同一の符号を付すものとする。
ディジタルテレビジョン１０は、第１実施形態と同様にユーザＵ１あるいはユーザ１２のいずれかが操作して、ディジタルテレビジョン１０の装置本体１１を制御するためのリモートコントローラ１１Ｒを備えている。
以下の説明においては、リモートコントローラ１１ＲをユーザＵ１が操作する場合について説明する。
【００３８】
次に第２実施形態の動作について説明する。
図８は第２実施形態の処理フローチャートである。
まず、コントローラ２５ｄは、リモートコントローラ１１Ｒにより、表示装置３１の表示を多画面表示に切り替える操作、あるいは、多画面表示中に主画面のチャンネルを切り替える操作がなされたか否かを判別する（ステップＳ２１）。
ステップＳ２１の判別において、リモートコントローラ１１Ｒにより、表示装置３１の表示を多画面表示に切り替える操作及び多画面表示中に主画面のチャンネルを切り替える操作のいずれもなされなかった場合には（ステップＳ２１；Ｎｏ）、処理を終了する。
【００３９】
ステップＳ２１の判別において、リモートコントローラ１１Ｒにより、表示装置３１の表示を多画面表示に切り替える操作、あるいは、多画面表示中に主画面のチャンネルを切り替える操作がなされた場合には（ステップＳ２１；Ｙｅｓ）、コントローラ２５ｄは、カメラユニット部１２を制御して視聴者であるユーザＵを撮像させる。
これにより、カメラユニット部１２は、視聴者であるユーザを検出するために撮像を行い、コントローラ２５ｄは、カメラユニット部１２の撮像結果に基づいて、ユーザＵ１、Ｕ２の顔の位置が表示装置３１の表示画面に対し、どのような位置にあるかを検出する（ステップＳ２２）。
続いてコントローラ２５ｄは、リモートコントローラ１１Ｒの制御信号の出力元を複数の受光センサの受光強度の違いから検出したり、カメラユニット部１２の撮像結果に基づいて操作者がユーザＵ１あるいはユーザＵ２のいずれであるかを検出したりする（ステップＳ２３）。
【００４０】
そして、コントローラ２５ｄは、視聴者、かつ、リモートコントローラ１１Ｒの操作者であるユーザ（ユーザＵ１あるいはユーザＵ２）の顔の位置が表示装置３１の表示画面に対し、どのような位置にあるかに基づいて、画面レイアウトを決定し（ステップＳ２４）、画面切替表示を行う（ステップＳ２５）。
【００４１】
図９は、視聴者であるユーザＵ１、Ｕ２の顔の位置と表示画面との位置関係と多画面（２画面）表示時の画面レイアウトとの関係の説明図である。
図９は、通常表示（１画面表示）から多画面表示に切り替えた場合の多画面表示時のレイアウトについて説明している。
図９（ａ）に示すように、コントローラ２５ｄは、カメラユニット部１２により撮像した画面に基づいて、視聴者であり、かつ、リモートコントローラ１１Ｒの操作者であるユーザＵ１の顔の位置Ｐ１とユーザＵ２の顔の位置Ｐ２が表示装置３１の表示画面３１Ｄに対してどのような位置にあるのかを判別する。
すなわち、ユーザＵ１の顔の位置Ｐ１が表示装置３１の表示画面３１Ｄに対して、左側あるいは右側のいずれにあるかを判別する。
【００４２】
そして、視聴者であり、かつ、リモートコントローラ１１Ｒの操作者であるユーザＵ１の顔の位置Ｐ１が表示装置３１の表示画面３１Ｄに対して、左側にあると判別した場合には、主画面Ｍを通常表示の場合と画面アスペクト比はほぼあるいは全く同一のまま、図９（ｂ）に示すように、表示装置３１の表示画面３１Ｄに対して、左側にレイアウトし、副画面ＳＤを表示装置３１の表示画面３１Ｄの右側に配置する。
また、視聴者であり、かつ、リモートコントローラ１１Ｒの操作者であるユーザＵ１の顔の位置Ｐ１が表示装置３１の表示画面３１Ｄに対して、右側にあると判別した場合には、主画面Ｍを通常表示の場合と画面アスペクト比はほぼあるいは全く同一のまま、図９（ｃ）に示すように、表示装置３１の表示画面３１Ｄに対して、右側にレイアウトし、副画面ＳＤを表示装置３１の表示画面３１Ｄの左側に配置する。
【００４３】
以上の説明のように、本第２実施形態によれば、ユーザが複数存在し、ユーザのいずれかがリモートコントローラ１１Ｒの操作を行っている場合でも、操作を行っているユーザを特定して、多画面表示に容易に移行し、あるいは、多画面表示中に対応する画面の操作（例えば、チャンネル切替）を行うことができる。
【００４４】
［３］実施形態の変形例
本実施形態の表示装置で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
また、本実施形態の表示装置で実行される制御プログラムを、インターネット等のネットワークに接続されたコンピュータ上に格納し、ネットワーク経由でダウンロードさせることにより提供するように構成しても良い。また、本実施形態の表示装置で実行される制御プログラムをインターネット等のネットワーク経由で提供または配布するように構成しても良い。
【００４５】
また、本実施形態の表示装置の制御プログラムを、ＲＯＭ等に予め組み込んで提供するように構成してもよい。
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４６】
１０    ディジタルテレビジョン（表示装置）
１１    装置本体
１１Ｒ  リモートコントローラ
１２    カメラユニット部
２５ｄ  コントローラ（顔位置検出手段、画面表示制御手段）
Ｍ      主画面
ＳＤ、ＳＤ１〜ＳＤ７  副画面
Ｕ、Ｕ１、Ｕ２    ユーザ
【図１】
2012253440.tif 000003
【図２】
2012253440.tif 000004
【図３】
2012253440.tif 000005
【図４】
2012253440.tif 000006
【図５】
2012253440.tif 000007
【図６】
2012253440.tif 000008
【図７】
2012253440.tif 000009
【図８】
2012253440.tif 000010
【図９】
2012253440.tif 000011